(57)【要約】【課題】簡単な構造により、消費電力の節減と温水注出の即応性とを適度なバランスを保って両立することが可能な飲料水供給装置を提供する。【解決手段】飲料水供給装置（１）の制御部（４１）は、三方弁（３６）にて送水管（ＷＰ５）を選択させ、かつヒーター（３５ａ）を制御することにより温水タンク（３１）と加熱室（３５）との間で飲料水を循環させて温水タンク（３１）内の飲料水の温度が待機温度（Ｔ１）を維持するように制御する待機モードと、三方弁（３６）にて送水管（ＷＰ６）を選択させ、かつヒーター（３５ａ）を制御することにより温水タンク（３１）から送られた待機温度（Ｔ１）の飲料水を加熱室（３５）にて注出温度（Ｔ２）に加熱した後、注出口（３７）から外部に注出する注出モードとをそれぞれ実行可能である。【選択図】図１
2017154813.tif 000002
【特許請求の範囲】
【請求項１】
飲料水を貯留する温水容器と、
上記温水容器から送られた飲料水を加熱する加熱部を備えた加熱室と、
上記飲料水を外部に注出する注出口と、
上記温水容器から上記加熱室に飲料水を送る第１流路と、
上記加熱室にて加熱された飲料水を上記温水容器に送る第２流路と、
上記加熱室にて加熱された飲料水を上記注出口に送る第３流路と、
上記加熱室にて加熱された飲料水を送る流路として、上記第２流路と上記第３流路のうちいずれか一方を選択する流路選択部と、
上記加熱部と流路選択部とを制御する制御部とを備えた飲料水供給装置であって、
上記制御部は、
上記流路選択部が上記第２流路を選択するように制御すると共に、上記加熱部を制御することにより上記温水容器と加熱室との間で飲料水を循環させて上記温水容器内の飲料水の温度が待機温度を維持するように制御する待機モードと、
上記流路選択部が上記第３流路を選択するように制御すると共に、上記加熱部を制御することにより上記温水容器から送られた上記待機温度の飲料水を上記加熱室にて注出温度に加熱した後、上記注出口から外部に注出する注出モードとを、
それぞれ実行可能であることを特徴とする飲料水供給装置。
【請求項２】
前記温水容器に加熱前の飲料水を供給する水供給路が備えられていると共に、
前記第１流路の温水容器への取り付け位置と前記第２流路の温水容器への取り付け位置との間の距離は、上記第１流路の温水容器への取り付け位置と上記水供給路の温水容器への取り付け位置との間の距離よりも短いことを特徴とする請求項１に記載の飲料水供給装置。
【請求項３】
前記水供給路の温水容器への取り付け位置は、前記第１流路の温水容器への取り付け位置よりも上側に位置しており、
前記水供給路を通して前記温水容器へ供給される飲料水が上記温水容器内で水平方向に広がるように供給されることを特徴とする請求項２に記載の飲料水供給装置。
【請求項４】
前記水供給路の温水容器への取り付け位置の下方の位置に、前記水供給路を通して上記温水容器へ供給される飲料水を上記温水容器に対して水平方向に拡散させる拡散板が備えられていることを特徴とする請求項３に記載の飲料水供給装置。
【請求項５】
前記拡散板は、前記水供給路の温水容器への取り付け位置と前記第１流路の温水容器への取り付け位置との間に位置することを特徴とする請求項４に記載の飲料水供給装置。
【請求項６】
前記第１流路には、前記温水容器から前記加熱室に飲料水を送る送水ポンプが設けられていると共に、
上記第１流路の温水容器への取り付け位置は、上記温水容器の下部側面又は底面に設けられていることを特徴とする請求項１に記載の飲料水供給装置。
【請求項７】
前記第１流路には、前記温水容器から前記加熱室に飲料水を送る送水ポンプが設けられていると共に、前記温水容器に加熱前の飲料水を供給する水供給路が備えられており、
上記水供給路の温水容器への取り付け位置及び前記第１流路の温水容器への取り付け位置は温水容器の上部に設けられ、
前記第２流路の温水容器への取り付け位置は温水容器の下部に設けられていることを特徴とする請求項１に記載の飲料水供給装置。
【請求項８】
前記第１流路には、前記温水容器から前記加熱室に飲料水を送る送水ポンプが設けられていると共に、
前記制御部は、前記注出モードから待機モードに切り替えたときには、一定時間上記送水ポンプを駆動させた後、上記送水ポンプの駆動を停止させることを特徴とする請求項１に記載の飲料水供給装置。
【発明の詳細な説明】
【技術分野】
【０００１】
本発明は、加熱した飲料水を随時外部に注出し得る飲料水供給装置に関するものである。
【背景技術】
【０００２】
従来、主に官公庁や病院等での飲料水供給装置としてウォーターサーバーが利用されてきたが、近年では、水の安全や健康への関心の高まりから、一般家庭でもウォーターサーバーが普及している。
【０００３】
また、一部のウォーターサーバーの中には、冷水や室温の飲料水以外に、加熱した飲料水を供給するものが知られている。このようなウォーターサーバーは、容器に収容されたミネラルウォーターや天然水を、温水に加熱する温水タンクと冷水に冷却する冷水タンクとのそれぞれに供給する。そして、温水タンクでは加熱ヒーターを用いて温水を作り、冷水タンクではコンプレッサを用いて冷水を作る。このようにして得られた温水や冷水は、それぞれのコック等を開くことによって注出される。
【０００４】
このようなウォーターサーバーは、例えば特許文献１や特許文献２に記載されている。
【先行技術文献】
【特許文献】
【０００５】
【特許文献１】特開２０１０−２２８８０７号公報（２０１０年１０月１４日公開）
【特許文献２】特開２００９−１９６６５０号公報（２００９年０９月０３日公開）
【発明の概要】
【発明が解決しようとする課題】
【０００６】
しかしながら、上記従来の特許文献１及び特許文献２に開示されたウォーターサーバーでは、温水を注出する機構において、以下の問題点を有している。
【０００７】
まず、上記特許文献１及び特許文献２に開示されたウォーターサーバーでは、注出温度である８０℃前後の高温で温水を常時貯留し、そのまま外部に注出する構造であるため、貯留時において室温との温度差が大きく温度低下し易い。このため、待機時間中でも貯留された温水の温度を保持するための消費電力が大きくなってしまう。
【０００８】
一方で、上記以外の方式としては、室温の水を貯留しておき、温水を注出する毎に注出するだけの水を随時加熱する方式が考えられる。この方式の場合、貯留する水と室温との差が無いため、待機時の消費電力を大幅に小さくできる。しかしながら、この方式の場合は、貯留する水の温度と外部に注出する温度との差が大きくなるため、注出するだけの水を瞬間的に大きく加熱する必要がある。このため、短時間に大量の温水を外部に注出するようなことは原理的に困難であり、即応性が損なわれるという問題がある。
【０００９】
本発明は、上記従来の問題点に鑑みなされたものであって、その目的は、簡単な構造により、消費電力の節減と温水注出の即応性とを適度なバランスを保って両立することが可能な飲料水供給装置を提供することにある。
【課題を解決するための手段】
【００１０】
本発明の一態様における飲料水供給装置は、上記の課題を解決するために、飲料水を貯留する温水容器と、上記温水容器から送られた飲料水を加熱する加熱部を備えた加熱室と、上記飲料水を外部に注出する注出口と、上記温水容器から上記加熱室に飲料水を送る第１流路と、上記加熱室にて加熱された飲料水を上記温水容器に送る第２流路と、上記加熱室にて加熱された飲料水を上記注出口に送る第３流路と、上記加熱室にて加熱された飲料水を送る流路として、上記第２流路と上記第３流路のうちいずれか一方を選択する流路選択部と、上記加熱部と流路選択部とを制御する制御部とを備えた飲料水供給装置であって、上記制御部は、上記流路選択部が上記第２流路を選択するように制御すると共に、上記加熱部を制御することにより上記温水容器と加熱室との間で飲料水を循環させて上記温水容器内の飲料水の温度が待機温度を維持するように制御する待機モードと、上記流路選択部が上記第３流路を選択するように制御すると共に、上記加熱部を制御することにより上記温水容器から送られた上記待機温度の飲料水を上記加熱室にて注出温度に加熱した後、上記注出口から外部に注出する注出モードとを、それぞれ実行可能であることを特徴としている。
【発明の効果】
【００１１】
本発明の一態様によれば、簡単な構造により、消費電力の節減と温水注出の即応性とを適度なバランスを保って両立することが可能な飲料水供給装置を提供するという効果を奏する。
【図面の簡単な説明】
【００１２】
【図１】本発明の実施形態１における飲料水供給装置の全体構成を示すブロック図である。
【図２】上記飲料水供給装置における温水生成部の構成を示すブロック図である。
【図３】本発明の実施形態２における飲料水供給装置を示すものであって、上記飲料水供給装置における温水生成部の送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図４】上記飲料水供給装置における温水生成部の変形例を示すものであって、上記飲料水供給装置における温水生成部の送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図５】本発明の実施形態３における飲料水供給装置を示すものであって、飲料水供給装置における温水生成部の送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図６】上記飲料水供給装置３の変形例を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図７】本発明の実施形態４における飲料水供給装置を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図８】上記飲料水供給装置の変形例を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図９】本発明の実施形態５における飲料水供給装置を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図１０】上記飲料水供給装置の変形例を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図１１】上記飲料水供給装置の他の変形例を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【図１２】上記飲料水供給装置のさらに他の変形例を示すものであって、温水生成部における送水管ＷＰ４の温水タンクへの取り付け位置と、送水管ＷＰ５の温水タンクへの取り付け位置と、送水管ＷＰ２の温水タンクへの取り付け位置との互いの位置関係を示す断面図である。
【発明を実施するための形態】
【００１３】
〔実施の形態１〕
本発明の一実施形態について図１及び図２に基づいて説明すれば、以下のとおりである。
【００１４】
本実施の形態における飲料水供給装置の全体構成について、図１に基づいて説明する。図１は、本実施の形態における飲料水供給装置１の全体構成を示すブロック図である。
【００１５】
本実施の形態の飲料水供給装置１は、図１に示すように、最上部に設けられて飲料原水を蓄える飲料原水タンク部１０と、飲料原水タンク部１０の下側に設けられて飲料原水を冷却する冷水生成部２０と、冷水生成部２０のさらに下側に設けられて飲料水を加熱して保存する温水生成部３０Ａとを備えている。
【００１６】
上記飲料原水タンク部１０は、飲料原水を蓄えるためのウォーターバック１１と、ウォーターバック１１内の水を吸い出すために接続されたアタッチメント１２とを含んでいる。このため、ウォーターバック１１内の飲料原水が、アタッチメント１２を通じて冷水生成部２０の後述するフロート式弁２４を介して冷水タンク２１に供給される。
【００１７】
上記ウォーターバック１１に蓄えられる飲料原水は、例えば水道水やミネラルウォーターである。
【００１８】
次に、冷水生成部２０は、冷水が製造される容器である冷水タンク２１と、冷水タンク２１を上層部と下層部とに仕切るセパレータ２３と、冷水タンク２１の上層部に設けられたフロート式弁２４と、冷水タンク２１の下層部に設けられた冷却装置の一部品である蒸発器２５とを備えている。
【００１９】
冷水タンク２１は、断熱材からなる壁２１ａと蓋２１ｂと備え、上記飲料原水タンク部１０のウォーターバック１１からアタッチメント１２を通じて供給された飲料原水を冷水にして貯蔵しておく容器である。蓋２１ｂには、エアー抜き２２が設けられている。
【００２０】
フロート式弁２４は、冷水タンク２１の上層部に設けられ、冷水タンク２１の冷水の水位が上昇してくると、該フロート式弁２４が押し上げられて飲料水の供給が停止する。また、冷水タンク２１内の飲料水の水位が下がって、該フロート式弁２４が下がってくると、飲料原水が再度供給されるようになっている。
【００２１】
蒸発器２５は、セパレータ２３によって仕切られた下層部側に設置されており、冷水タンク２１内の下層部側の飲料水を冷却する。蒸発器２５には冷却器２６が接続されており、この冷却器２６は、例えば圧縮機、乾燥器及び凝縮器が冷媒管によって連結され、この冷媒管の一部分には図示しないキャピラリーチューブが配設されている。このような構成によって、蒸発器２５と冷却器２６との間に冷媒管を通して冷媒を循環させ、冷水タンク２１内の飲料水が冷却されるようになっている。冷水タンク２１内の飲料水の冷却温度は、冷水タンク２１の下側部に設置された冷水温度計２７にて検出されるようになっている。
【００２２】
上記冷水タンク２１の底部には、送水管ＷＰ１が接続されており、送水管ＷＰ１の先端には冷水注出口２８が設けられている。このため、冷水注出口２８を開くことによって冷却された飲料水を注出することができる。
【００２３】
また、上記冷水タンク２１の底部の中央部には、送水管ＷＰ２が貫通して接続されており、この送水管ＷＰ２は、冷水タンク２１の下側に設けられた温水生成部３０Ａにおける温水容器としての温水タンク３１に延びている。送水管ＷＰ２における温水タンク３１とは反対側の端部は、上記冷水タンク２１のセパレータ２３の上面側にまで延びており、冷水タンク２１の上層部に開口部２１ｃが形成されている。この結果、送水管ＷＰ２は、温水タンク３１の上層部に貯留された飲料水、つまり冷却されていない飲料原水を冷水タンク２１の下側に設けられた温水生成部３０Ａの温水タンク３１に導くようになっている。この結果、送水管ＷＰ２は、本発明の温水容器に加熱前の飲料水を供給する水供給路としての機能を有している。
【００２４】
また、冷水タンク２１の底部と温水タンク３１の上部との間には、循環用ポンプ３９が送水管ＷＰ８を介して配置されており、温水タンク３１と冷水タンク２１との間で飲料水を循環させることが可能となっている。これにより、送水ポンプ３４で送った飲料水を加熱室３５にて加熱して、さらに循環用ポンプ３９を動作させて温水タンク３１や冷水タンク２１内に行き渡らせることによって、雑菌の繁殖を抑えることが可能になる。
【００２５】
次に、温水生成部３０Ａの構成について、図１及び図２に基づいて説明する。図２は、上記飲料水供給装置１における温水生成部３０Ａの構成を示すブロック図である。
【００２６】
温水生成部３０Ａは、図１及び図２に示すように、温水タンク３１と、加熱部としてのヒーター３５ａを内蔵した加熱室３５と、流路選択部としての三方弁３６とを備えている。
【００２７】
温水タンク３１は、送水管ＷＰ２から供給される加熱前の飲料水を貯留すると共に、加熱室３５にて加熱された飲料水を循環させて温水として貯留するタンクである。
【００２８】
温水タンク３１には温水温度計３２が設置されており、温水タンク３１内の飲料水の温度が検出できるようになっている。温水温度計３２や冷水温度計２７は、設定温度の検出が行えるものであればどのような構成でもよく、例えば、サーミスタ温度計等を利用する構成であってもよい。
【００２９】
また、温水タンク３１の底部にはドレイン弁３８につながる送水管ＷＰ７も配設されており、このドレイン弁３８の開閉によって温水タンク３１に残っている飲料水を排水することができる。
【００３０】
本実施の形態では、温水タンク３１から飲料水を採取する第１流路としての送水管ＷＰ４が温水タンク３１の底部に配設され、この送水管ＷＰ４は、流量計３３及び送水ポンプ３４を介して加熱室３５に接続されている。送水ポンプ３４及び流量計３３を設けているメリットとしては、注出湯量及び注出温度をより正確に制御できるだけでなく、短時間で湯を注出可能な状態に準備できるようにするといったことが挙げられる。或いは、送水ポンプ３４の駆動時間又は総パルスカウント等の制御により流量を設定する仕様として流量計３３のみをなくす形態としてもよい。これによっても、上記と同様なメリットがある。尚、必ずしもこれに限らず、ヒーター３５ａでの加熱による対流を利用して飲料水を送ってもよい。
【００３１】
送水ポンプ３４は、送水量を変更することが可能であり、送水量は送水ポンプ３４と温水タンク３１との間に配置された流量計３３によって計測される。
【００３２】
加熱室３５は、図示しないサーモスタット等の温度調整機能を具備しており、飲料水が一定温度以上のときにはヒーター３５ａをオフするようになっている。加熱室３５にて、一定温度に加熱された飲料水は、三方弁３６に排出される。
【００３３】
三方弁３６は、加熱室３５にて加熱された飲料水を、注出されるとき以外は温水タンク３１に戻るようにする第２流路としての送水管ＷＰ５とを通るルートと、第３流路としての送水管ＷＰ６を通して注出口３７へ供給するルートとの２方向に選択して切り替え可能となっている。このような切り替え制御は、制御部４１の制御によって行われるようになっている。制御部はユーザーの指示に基づいて待機モードと注出モードとをそれぞれ実行可能であり、それぞれのモードにおいて以下のような制御を行う。
【００３４】
［待機モード］
待機モードにおいては、温水タンクの３１内の飲料水の温度が待機温度Ｔ１以下の設定値よりも低い温度になった場合に、自動的に上述のような加熱室３５にて飲料水を加熱して温水タンク３１に戻す循環サイクルを行う。その際、三方弁３６は、加熱室３５にて加熱された飲料水を、注出されるとき以外は温水タンク３１に戻るようにする第２流路としての送水管ＷＰ５とを通るルートを選択するように切り替えられる。
【００３５】
これによって、温水温度計３２にて検出される温度は上昇していき、待機温度Ｔ１に達したところで加熱を自動的に一旦終了させる。尚、温水タンク３１の壁３１ａは断熱材に覆われており、温水タンク３１内の飲料水の温度が変動し難いようになっている。そして、再び飲料水の温度が待機温度Ｔ１以下の設定値よりも低い温度になった場合に、上述の循環サイクル動作を自動的に繰り返すことにより、温水タンクの３１内の飲料水の温度をＴ１近傍に保持する。
【００３６】
尚、温水タンク３１における待機温度Ｔ１の温度の目安としては、例えば４５〜７０℃が好ましい。温度が４５℃未満となると雑菌が沸き易くなる。一方、７０℃以上になると注出温度Ｔ２の設定幅が狭くなる上、飲料水の温度をＴ１近傍に保持するための電力消費が増大し、さらには流量計３３、送水ポンプ３４、三方弁３６及び注出口３７等で使用する部材の耐熱温度を高くする必要が生じるといった問題がある。
【００３７】
［注出モード］
注出モードにおいては、送水ポンプ３４を稼働させ、加熱室３５にて飲料水を加熱して予め設定されていた注出温度Ｔ２まで加熱して、三方弁３６を注出口３７側に切り替えて温水を注出する。尚、注出モードにおけるヒーター３５aの出力は、待機モードにおける出力よりも高くなるように制御される。
【００３８】
注出温度Ｔ２については、待機温度Ｔ１以上の温度を設定することができる。このときの注出流量については、ヒーター３５ａとして例えば１３００Ｗのヒーターを用いて確認したところ、注出温度Ｔ２−待機温度Ｔ１が１０℃、２０℃、３０℃及び４０℃では、１．８Ｌ／ｍｉｎ、０．９Ｌ／ｍｉｎ、０．６Ｌ／ｍｉｎ及び０．４５Ｌ／ｍｉｎであった。尚、注出口３７から取り出されることにより、減少した分の温水タンク３１内の飲料水については、自動的に飲料水が送水管ＷＰ２を通して冷水タンク２１側から温水タンク３１に供給される。そして、冷水タンク２１の水位低下分の飲料水がウォーターバック１１から供給される。
【００３９】
本実施の形態では、制御部４１は、注出モードから待機モードに切り替えたときには、一定時間送水ポンプ３４を駆動させた後、送水ポンプ３４の駆動を停止させる。
【００４０】
その理由は、注出モードにおいては、待機温度Ｔ１よりも高い注出温度Ｔ２まで飲料水を加熱するように、ヒーター３５ａが高い出力となるように制御されている。このため、注出モードから待機モードに切り替えた瞬間に送水ポンプ３４を停止させると、加熱室３５の中でヒーター３５ａの余熱により飲料水が過熱状態となるので、これを防止するためである。
【００４１】
加熱室３５の中で飲料水が過熱状態となると、次に注出モードに切り替えた際に、過熱状態となった想定外の高温の飲料水が外部に注出されてしまう。さらに酷い場合は、高温によりヒーター３５ａの中で飲料水が沸騰し、加熱室３５や加熱室３５に接続する配管、及びヒーター３５ａを破損させる危険性がある。
【００４２】
上述の装置構成によって、待機モードと注出モードとを切り替え可能にすることの効果について以下に説明する。
【００４３】
第１の効果として、待機モードにおいて温水タンクの３１内の飲料水の保温の温度（待機温度Ｔ１）を注出の温度（注出温度Ｔ２）よりも低く設定することができるため、待機モードにおける保温のための電力消費を特許文献１や特許文献２に記載の装置に比べて低くすることができる。尚、待機温度Ｔ１は室温よりは高く、注出温度Ｔ２よりは低い温度である。したがって、注出時に室温の飲料水を注出温度Ｔ２まで加熱するような形態に比べれば、注出時に必用な加熱の出力を低くすることができ、低い電力で瞬間的に大量の飲料水を注出するような即応性に優れている。すなわち、消費電力の節減と温水注出の即応性とを適度なバランスを保って両立することが可能となる。
【００４４】
本実施の形態の飲料水供給装置１の温水生成部３０Ａでは、飲料水の待機時において予備加熱の動作をして水温を加熱前の飲料水の温度よりも高温に上げておき、注出時に再度加熱して注出することによって、注出時の流量を十分に保ちつつ、かつ消費電力も一般家庭でも供給可能な出力である１５００Ｗ以下で可能となる。
【００４５】
第２の効果として、注出モードにおいてヒーター３５ａの出力や送水ポンプ３４の流量を制御することにより、注出温度Ｔ２を待機温度Ｔ１以上の温度であればユーザーが所望する温度に自由に可変とすることができる。例えば、待機温度Ｔ１が５０℃である場合、注出温度Ｔ２を６０℃、７０℃、又は８０℃というように、注出毎にユーザーが自由に選択することも可能である。すなわち、注出温度を自在に調整可能となる。
【００４６】
第３の効果として、待機モードにおける飲料水の加熱と注出モードにおける加熱とを同一の加熱経路で行い、三方弁３６で二つのモードを切り替え可能としているため、二つのモードにおいて加熱用のヒーター等の部材を共用化することができる。したがって、構造を単純化し、二つのモードを実現するために必用な追加部品の数を削減し、装置の製造コストを低減することができる。また、このことは、装置の小型化にも寄与する。
【００４７】
第４の効果として、待機モードにおいて、加熱循環動作が随時自動的に繰り返されることにより、送水管ＷＰ４・ＷＰ５、及び温水タンク３１や三方弁３６等の各部材が温められるため、送水管ＷＰ４・ＷＰ５、及び温水タンク３１や三方弁３６等の各部材での温度低下が抑えられ、注出モードにおいて注出口３７までの流路における飲料水の温度低下が抑制できる。
【００４８】
〔実施の形態２〕
本発明の他の実施の形態について図３及び図４に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００４９】
本実施の形態の飲料水供給装置２の温水生成部３０Ｂにおける構成品は、前記実施の形態１の飲料水供給装置１における温水生成部３０Ａの構成品と同じである。しかし、本実施の形態の飲料水供給装置２の温水生成部３０Ｂでは、図３及び図４に示すように、温水タンク３１から加熱室３５へ配設される送水管ＷＰ４の温水タンク３１への取り付け位置Ａ２と、三方弁３６から温水タンク３１に戻る方向の送水管ＷＰ５の温水タンク３１への取り付け位置Ｂ２と、冷水タンク２１から温水タンク３１に延びている加熱前の飲料水を供給する送水管ＷＰ２の温水タンク３１への取り付け位置Ｃ２との互いの位置関係が規定されている点が異なっている。
【００５０】
本実施の形態の飲料水供給装置２の温水生成部３０Ｂ・３０Ｂ’における送水管ＷＰ４の温水タンク３１への取り付け位置Ａ２と、送水管ＷＰ５の温水タンク３１への取り付け位置Ｂ２と、送水管ＷＰ２の温水タンク３１への取り付け位置Ｃ２との互いの位置関係について、図３及び図４に基づいて説明する。図３は、本実施の形態の飲料水供給装置２における温水生成部３０Ｂの送水管ＷＰ４の温水タンク３１への取り付け位置Ａ２と、送水管ＷＰ５の温水タンク３１への取り付け位置Ｂ２と、送水管ＷＰ２の温水タンク３１への取り付け位置Ｃ２との互いの位置関係を示す断面図である。図４は、本実施の形態の飲料水供給装置２の変形例を示すものであって、温水生成部３０Ｂ’における送水管ＷＰ４の温水タンク３１への取り付け位置Ａ２と、送水管ＷＰ５の温水タンク３１への取り付け位置Ｂ２と、送水管ＷＰ２の温水タンク３１への取り付け位置Ｃ２との互いの位置関係を示す断面図である。
【００５１】
本実施の形態の飲料水供給装置２の温水生成部３０Ｂでは、例えば、図３に示すように、温水タンク３１から加熱室３５へ配設される送水管ＷＰ４の温水タンク３１への取り付け位置Ａ２は、温水タンク３１の底部に設けられている。
【００５２】
また、三方弁３６から温水タンク３１に戻る方向の送水管ＷＰ５の温水タンク３１への取り付け位置Ｂ２は、温水タンク３１において、温水タンク３１の深さ略中部に位置している。そして、この送水管ＷＰ５の取り付け位置Ｂ１は、送水管ＷＰ４の取り付け位置Ａ２の直上となっている。
【００５３】
一方、冷水タンク２１から温水タンク３１に延びている加熱前の飲料水を供給する送水管ＷＰ２の温水タンク３１への取り付け位置Ｃ２は、温水タンク３１の上部であり、しかも温水タンク３１の壁３１ａの近傍となっている。尚、壁３１ａの近傍は、送水管ＷＰ４の取り付け位置Ａ２、及び送水管ＷＰ２の取り付け位置Ｃ２とは反対側の壁である。
【００５４】
この結果、上記の構成では、送水管ＷＰ４の温水タンク３１への取り付け位置Ａ２と送水管ＷＰ５の温水タンク３１への取り付け位置Ｂ２との間の距離は、送水管ＷＰ４の温水タンク３１への取り付け位置Ｂ２と送水管ＷＰ２の温水タンク３１への取り付け位置Ｃ２との間の距離よりも短くなっている。
【００５５】
また、例えば、温水生成部３０Ｂ’では、図４に示すように、温水タンク３１から加熱室３５へ配設される送水管ＷＰ４の温水タンク３１への取り付け位置Ａ２は、温水タンク３１の底部に設けられている。
【００５６】
また、三方弁３６から温水タンク３１に戻る方向の送水管ＷＰ５の温水タンク３１への取り付け位置Ｂ２も温水タンク３１の底部に設けられている。
【００５７】
一方、冷水タンク２１から温水タンク３１に延びている加熱前の飲料水を供給する送水管ＷＰ２の温水タンク３１への取り付け位置Ｃ２は、温水タンク３１の上部であり、しかも温水タンク３１の壁３１ａの近傍となっている。尚、壁３１ａの近傍は、送水管ＷＰ２の取り付け位置Ｃ２とは反対側の壁である。
【００５８】
そして、この構成においても、送水管ＷＰ４の温水タンク３１への取り付け位置Ａ２と送水管ＷＰ５の温水タンク３１への取り付け位置Ｂ２との間の距離は、送水管ＷＰ４の温水タンク３１への取り付け位置Ｂ２と送水管ＷＰ２の温水タンク３１への取り付け位置Ｃ２との間の距離よりも短くなっている。
【００５９】
このように、本実施の形態における飲料水供給装置１は、温水タンク３１に加熱前の飲料水を供給する送水管ＷＰ２が備えられていると共に、送水管ＷＰ４の温水タンク３１への取り付け位置Ａ２と送水管ＷＰ５の温水タンク３１への取り付け位置Ｂ２との間の距離は、送水管ＷＰ４の温水タンク３１への取り付け位置Ｂ２と送水管ＷＰ２の温水タンク３２への取り付け位置Ｃ１との間の距離よりも短くなっている。
【００６０】
すなわち、本実施の形態では、待機モードにおいては、温水タンク３１、送水管ＷＰ４の温水タンク３１への取り付け位置Ａ２、送水管ＷＰ４、加熱室３５、三方弁３６、送水管ＷＰ５、送水管ＷＰ５の温水タンク３１への取り付け位置Ｂ２とによって、温水タンク３１と加熱室３５との間に循環経路が形成されている。そして、循環経路には、注出温度Ｔ２よりも少し低い温度の待機温度Ｔ１の飲料水が循環されている。この場合、送水管ＷＰ２から待機温度Ｔ１よりもより低い加熱前の例えば常温等の新たな飲料水が温水タンク３１に流入されて、この循環している飲料水に混入されると、循環している飲料水の温度が低下する。この結果、飲料水を待機温度Ｔ１に保持するためには、ヒーター３５ａを稼働しなければならないので、電力が消費される。
【００６１】
したがって、循環している飲料水の温度を低下させないためには、温水容器の内部において循環している飲料水からできるだけ離れた位置に加熱前の飲料水を流入させることが好ましい。
【００６２】
この点、本実施の形態では、送水管ＷＰ４の温水タンク３１への取り付け位置Ａ２と送水管ＷＰ５の温水タンク３１への取り付け位置Ｂ２との間の距離は、送水管ＷＰ４の温水タンク３１への取り付け位置Ａ２と送水管ＷＰ２の温水タンク３１への取り付け位置Ｃ２との間の距離よりも短くなっている。
【００６３】
この結果、本実施の形態により、待機モードのおける注出前の加熱動作時において、温水タンク３１内に流れが形成され、送水管ＷＰ２から供給される飲料水によって温度低下した水が循環する飲料水側に供給され難くなるため、循環飲料水の急激な温度低下を抑制することができる。
【００６４】
〔実施の形態３〕
本発明の他の実施の形態について図５及び図６に基づいて説明すれば、以下のとおりである。尚、本実施の形態において説明すること以外の構成は、前記実施の形態１と同じである。また、説明の便宜上、前記の実施の形態１あるいは２の図面に示した部材と同一の機能を有する部材については、同一の符号を付し、その説明を省略する。
【００６５】
本実施の形態の飲料水供給装置３の温水生成部３０Ｃ・３０Ｃ’における構成品は、前記実施の形態１の飲料水供給装置１における温水生成部３０Ａ及び実施の形態２の飲料水供給装置２における温水生成部３０Ｂ・３０Ｂ’の構成品と同じである。しかし、本実施の形態の飲料水供給装置３の温水生成部３０Ｃ・３０Ｃ’では、図５及び図６に示すように、主として、冷水タンク２１から温水タンク３１に延びている加熱前の飲料水を供給する送水管ＷＰ２の温水タンク３１への取り付け位置Ｃ３が異なっている。
【００６６】
本実施の形態の飲料水供給装置３の温水生成部３０Ｃ・３０Ｃ’における送水管ＷＰ４の温水タンク３１への取り付け位置Ａ３と、送水管ＷＰ５の温水タンク３１への取り付け位置Ｂ３と、送水管ＷＰ２の温水タンク３１への取り付け位置Ｃ３との互いの位置関係について、図５及び図６に基づいて説明する。図５は、本実施の形態の飲料水供給装置２における温水生成部３０Ｃの送水管ＷＰ４の温水タンク３１への取り付け位置Ａ３と、送水管ＷＰ５の温水タンク３１への取り付け位置Ｂ３と、送水管ＷＰ２の温水タンク３１への取り付け位置Ｃ３との互いの位置関係を示す断面図である。図６は、本実施の形態の飲料水供給装置３の変形例を示すものであって、温水生成部３０Ｃ’における送水管ＷＰ４の温水タンク３１への取り付け位置Ａ３と、送水管ＷＰ５の温水タンク３１への取り付け位置Ｂ３と、送水管ＷＰ２の温水タンク３１への取り付け位置Ｃ３との互いの位置関係を示す断面図である。
【００６７】
本実施の形態の飲料水供給装置３の温水生成部３０Ｃでは、図５に示すように、温水タンク３１から加熱室３５へ配設される送水管ＷＰ４の温水タンク３１への取り付け位置Ａ３は、温水タンク３１の底部に設けられている。
【００６８】
また、三方弁３６から温水タンク３１に戻る方向の送水管ＷＰ５の温水タンク３１への取り付け位置Ｂ３は、温水タンク３１において、温水タンク３１の深さ略中部に位置している。ただし、この送水管ＷＰ５の取り付け位置Ｂ３は、送水管ＷＰ４の取り付け位置Ａ３の直上とはなっていない。
【００６９】
一方、冷水タンク２１から温水タンク３１に延びている加熱前の飲料水を供給する送水管ＷＰ２の温水タンク３１への取り付け位置Ｃ３は、温水タンク３１の上部であり、温水タンク３１の中央の上部である。そして、取り付け位置Ｃ３のすぐ下方の位置には、拡散板５１が設けられている。この結果、送水管ＷＰ２を通して温水タンク３１に供給された加熱前の飲料水は、拡散板５１に当たって水平に広がる。
【００７０】
また、例えば、温水生成部３０Ｃ’では、図６に示すように、送水管ＷＰ４の温水タンク３１への取り付け位置Ａ３、及び送水管ＷＰ５の温水タンク３１への取り付け位置Ｂ３は、温水生成部３０Ｃとは変化がない。しかし、冷水タンク２１から温水タンク３１に延びている加熱前の飲料水を供給する送水管ＷＰ２の温水タンク３１への取り付け位置Ｃ３は、温水タンク３１の上部であり、かつ外部から温水タンク３１の壁３１ａの側面となっている。この結果、送水管ＷＰ２から温水タンク３１へ供給される飲料水は、温水タンク３１の内部に対して水平方向となるように供給される。
【００７１】
このように、本実施の形態における飲料水供給装置３は、水供給路としての送水管ＷＰ２の温水容器としての温水タンク３１への取り付け位置Ｃ３は、第１流路としての送水管ＷＰ４の温水タンク３１への取り付け位置Ａ３よりも上側に位置しており、送水管ＷＰ２を通して温水タンク３１へ供給される飲料水が温水タンク３１内で水平方向に広がるように供給される。
【００７２】
すなわち、本実施の形態のように、送水管ＷＰ２の温水タンク３１への取り付け位置Ｃ３が、送水管ＷＰ４の温水タンク３１への取り付け位置Ａ３よりも上側に位置している場合に、送水管ＷＰ２から供給される飲料水が温水タンク３１の深さ方向に供給されると、加熱していない飲料水が、送水管ＷＰ４の温水タンク３１への取り付け位置Ａ３の近傍に流れ込むことになるので、循環している飲料水の温度が急激に低下する。
【００７３】
この点、本実施の形態では、送水管ＷＰ２を通して温水タンク３１へ供給される飲料水が、温水タンク３１内で水平方向に広がるように供給される。
【００７４】
この結果、送水管ＷＰ２から供給される飲料水が温水タンク３１の深さ方向に供給されることがないので、循環している飲料水の温度が急激に低下するのを防止することができる。
【００７５】
また、本実施の形態における飲料水供給装置３の温水生成部３０Ｃでは、送水管ＷＰ２の温水タンク３１への取り付け位置Ｃ３の下方の位置に、送水管ＷＰ２を通して温水タンク３１へ供給される飲料水を温水タンク３１に対して水平方向に拡散させる拡散板５１が備えられている。
【００７６】
これにより、送水管ＷＰ２を通して温水タンク３１へ供給される飲料水は、拡散板５１に当たって水平方向に拡散する。
【００７７】
この結果、送水管ＷＰ２を通して温水タンク３１へ供給される飲料水が、温水タンク３１の底部に流れ込み難くなるので、循環している飲料水の温度が急激に低下するのを確実に防止することができる。
【００７８】
〔実施の形態４〕
本発明の他の実施の形態について図７及び図８に基づいて説明すれば、以下のとおりである。尚、本実施の形態において説明すること以外の構成は、前記実施の形態１〜実施の形態３と同じである。また、説明の便宜上、前記の実施の形態１〜３の図面に示した部材と同一の機能を有する部材については、同一の符号を付し、その説明を省略する。
【００７９】
本実施の形態の飲料水供給装置４の温水生成部３０Ｄ・３０Ｄ’における構成品は、前記実施の形態１の飲料水供給装置１における温水生成部３０Ａ及び実施の形態２の飲料水供給装置３における温水生成部３０Ｂ・３０Ｂ’の構成品と同じである。しかし、本実施の形態の飲料水供給装置４の温水生成部３０Ｄ・３０Ｄ’では、図７及び図８に示すように、送水管ＷＰ４の送水ポンプ３４にて多量の飲料水を送水した場合における温水タンク３１の内部で渦流の発生を防止すると共に、送水ポンプ３４の空送りを防止する構成となっている点が異なっている。
【００８０】
本実施の形態の飲料水供給装置４の温水生成部３０Ｄ・３０Ｄ’における送水管ＷＰ４の温水タンク３１への取り付け位置Ａ４と、送水管ＷＰ５の温水タンク３１への取り付け位置Ｂ４と、送水管ＷＰ２の温水タンク３１への取り付け位置Ｃ４との互いの位置関係について、図７及び図８に基づいて説明する。図７は、本実施の形態の飲料水供給装置２における温水生成部３０Ｄの送水管ＷＰ４の温水タンク３１への取り付け位置Ａ４と、送水管ＷＰ５の温水タンク３１への取り付け位置Ｂ４と、送水管ＷＰ２の温水タンク３１への取り付け位置Ｃ４との互いの位置関係を示す断面図である。図８は、本実施の形態の飲料水供給装置４の変形例を示すものであって、温水生成部４０Ｄ’における送水管ＷＰ４の温水タンク３１への取り付け位置Ａ４と、送水管ＷＰ５の温水タンク３１への取り付け位置Ｂ４と、送水管ＷＰ２の温水タンク３１への取り付け位置Ｃ４との互いの位置関係を示す断面図である。
【００８１】
本実施の形態の飲料水供給装置４の温水生成部３０Ｄでは、図７に示すように、温水タンク３１から加熱室３５へ配設される送水管ＷＰ４の温水タンク３１への取り付け位置Ａ４は、温水タンク３１の下部における壁３１ａの側面に設けられている。
【００８２】
また、三方弁３６から温水タンク３１に戻る方向の送水管ＷＰ５の温水タンク３１への取り付け位置Ｂ４は、温水タンク３１において、温水タンク３１の上部に位置している。
【００８３】
一方、冷水タンク２１から温水タンク３１に延びている加熱前の飲料水を供給する送水管ＷＰ２の温水タンク３１への取り付け位置Ｃ４は、温水タンク３１の上部であり、温水タンク３１の壁３１ａの近傍位置となっている。尚、取り付け位置Ｃ４の温水タンク３１の壁３１ａの近傍位置は、送水管ＷＰ４の取り付け位置Ａ４とは反対側、つまり取り付け位置Ａ４とは最も遠ざかる位置となっている。
【００８４】
また、例えば、温水生成部３０Ｄ’では、図８に示すように、送水管ＷＰ４の温水タンク３１への取り付け位置Ｂ４、及び送水管ＷＰ２の温水タンク３１への取り付け位置Ｃ４は、温水生成部３０Ｄとは変化がない。
【００８５】
しかし、温水タンク３１から加熱室３５へ配設される送水管ＷＰ４の温水タンク３１への取り付け位置Ａ４は、温水タンク３１の底部に設けられていると共に、取り付け位置Ａ４の直上には採水カバー５２が設けられている。
【００８６】
すなわち、前記実施の形態１の飲料水供給装置１〜実施の形態３の飲料水供給装置３においては、温水タンク３１から飲料水を送水管ＷＰ４の送水ポンプ３４で採水した場合、流量が大きいと温水タンク３１内に渦ができ易くなり、冷水タンク２１から供給される飲料水による温度低下した水が注出する飲料水側に混ざることになる。
【００８７】
そこで、本実施の形態の飲料水供給装置４の温水生成部３０Ｄでは、第１流路としての送水管ＷＰ４の温水タンク３１への取り付け位置Ａ４は、温水タンク３１の下部側面に設けられている。
【００８８】
これにより、送水ポンプ３４にて温水タンク３１の飲料水を多量に送水したときに、送水管ＷＰ４の温水タンク３１への取り付け位置Ａ４が温水タンク３１における渦流の中心とはならない。したがって、注出時の温度低下を抑制することができる。
【００８９】
また、送水管ＷＰ４の温水タンク３１への取り付け位置Ａ４が温水タンク３１の下部側面に設けられているので、送水ポンプの空送りを防止することができる。すなわち、温水タンク１内での水位が低下してきた状況での空気の巻き込みを抑制することができる。
【００９０】
また、本実施の形態の飲料水供給装置４の温水生成部３０Ｄ’では、第１流路としての送水管ＷＰ４の温水タンク３１への取り付け位置Ａ４は、温水タンク３１の底部に設けられていると共に、取り付け位置Ａ４の直上には、採水カバー５２が設けられている。
【００９１】
したがって、温水生成部３０Ｄ’と同様に、送水ポンプ３４にて温水タンク３１の飲料水を多量に送水したときに、採水カバー５２の存在によって、送水管ＷＰ４の温水タンク３１への取り付け位置Ａ４が温水タンク３１における渦流の中心とはならない。したがって、注出時の温度低下を抑制することができる。
【００９２】
また、送水管ＷＰ４の温水タンク３１への取り付け位置Ａ４が温水タンク３１の底面に設けられているので、送水ポンプの空送りを防止することができる。
【００９３】
ここで、飲料水供給装置４では、拡散板としての採水カバー５２が、水供給路としての送水管ＷＰ２の温水タンク３１への取り付け位置Ｃ４と第１流路としての送水管ＷＰ４の温水タンク３１への取り付け位置Ａ４との間に位置するとなっているとすることが可能である。
【００９４】
すなわち、拡散板としての採水カバー５２が送水管ＷＰ２の温水タンク３１への取り付け位置Ｃ４と送水管ＷＰ４の温水タンク３１への取り付け位置Ａ４との間に位置していれば、送水管ＷＰ２を通して温水タンク３１へ供給される飲料水が、温水タンク３１の底部に渦流となっては流れ込み難くなる。
【００９５】
したがって、これによって、送水ポンプ３４の駆動中に飲料水の温度が急激に低下するのを防止することができる。
【００９６】
〔実施の形態５〕
本発明の他の実施の形態について図９〜図１２に基づいて説明すれば、以下のとおりである。尚、本実施の形態において説明すること以外の構成は、前記実施の形態１と同じである。また、説明の便宜上、前記の実施の形態１あるいは２、３、４の図面に示した部材と同一の機能を有する部材については、同一の符号を付し、その説明を省略する。
【００９７】
前記実施の形態１〜４における飲料水供給装置１〜４では、送水管ＷＰ４は温水タンク３１の下側から採水し、送水管ＷＰ５を温水タンク３１に上側から戻していた。これに対して、本実施の形態の飲料水供給装置４の温水生成部３０Ｆ・３０Ｆ’・３０Ｆ” ・３０Ｆ’”では、送水管ＷＰ４の取り付け位置Ａ５は温水タンク３１の上部に存在すると共に、送水管ＷＰ５の取り付け位置Ｂ５が温水タンク３１の底部に存在する点が異なっている。
【００９８】
本実施の形態の飲料水供給装置４の温水生成部３０Ｆ・３０Ｆ’・３０Ｆ” ・３０Ｆ’”における送水管ＷＰ４の温水タンク３１への取り付け位置Ａ５と、送水管ＷＰ５の温水タンク３１への取り付け位置Ｂ５と、送水管ＷＰ２の温水タンク３１への取り付け位置Ｃ５との互いの位置関係について、図９〜図１２に基づいて説明する。図９は、本実施の形態の飲料水供給装置５における温水生成部３０Ｆの送水管ＷＰ４の温水タンク３１への取り付け位置Ａ５と、送水管ＷＰ５の温水タンク３１への取り付け位置Ｂ５と、送水管ＷＰ２の温水タンク３１への取り付け位置Ｃ５との互いの位置関係を示す断面図である。図１０は、本実施の形態の飲料水供給装置５の変形例を示すものであって、温水生成部４０Ｆ’における送水管ＷＰ４の温水タンク３１への取り付け位置Ａ５と、送水管ＷＰ５の温水タンク３１への取り付け位置Ｂ５と、送水管ＷＰ２の温水タンク３１への取り付け位置Ｃ５との互いの位置関係を示す断面図である。図１１は、本実施の形態の飲料水供給装置５の変形例を示すものであって、温水生成部４０Ｆ”における送水管ＷＰ４の温水タンク３１への取り付け位置Ａ５と、送水管ＷＰ５の温水タンク３１への取り付け位置Ｂ５と、送水管ＷＰ２の温水タンク３１への取り付け位置Ｃ５との互いの位置関係を示す断面図である。図１２は、本実施の形態の飲料水供給装置５のさらなる変形例を示すものであって、温水生成部４０Ｆ’”における送水管ＷＰ４の温水タンク３１への取り付け位置Ａ５と、送水管ＷＰ５の温水タンク３１への取り付け位置Ｂ５と、送水管ＷＰ２の温水タンク３１への取り付け位置Ｃ５との互いの位置関係を示す断面図である。
【００９９】
本実施の形態の飲料水供給装置４の温水生成部３０Ｆでは、図９に示すように、温水タンク３１から加熱室３５へ配設される送水管ＷＰ４の温水タンク３１への取り付け位置Ａ５は、温水タンク３１において、温水タンク３１の上部に位置している。
【０１００】
また、三方弁３６から温水タンク３１に戻る方向の送水管ＷＰ５の温水タンク３１への取り付け位置Ｂ４は、温水タンク３１の底部に位置している。
【０１０１】
一方、冷水タンク２１から温水タンク３１に延びている加熱前の飲料水を供給する送水管ＷＰ２の温水タンク３１への取り付け位置Ｃ５は、温水タンク３１の上部であり、温水タンク３１の壁３１ａの近傍位置となっている。尚、取り付け位置Ｃ４の温水タンク３１の壁３１ａの近傍位置は、送水管ＷＰ４の取り付け位置Ａ４とは反対側、つまり取り付け位置Ａ４とは遠ざかる位置となっている。
【０１０２】
また、例えば、温水生成部３０Ｆ’では、図１０に示すように、送水管ＷＰ５の温水タンク３１への取り付け位置Ｂ５は、温水生成部３０Ｆとは変化がない。しかし、温水タンク３１から加熱室３５へ配設される送水管ＷＰ４の温水タンク３１への取り付け位置Ａ５は、温水タンク３１において、温水タンク３１の上部に位置していると共に、フロート式採水口５３が設けられている。また、送水管ＷＰ２の温水タンク３１への取り付け位置Ｃ５は、温水生成部３０Ｄと比べて、温水タンク３１においてより深い位置に存在している。
【０１０３】
また、例えば、温水生成部３０Ｆ”では、図１１に示すように、送水管ＷＰ５の温水タンク３１の底部への取り付け位置Ｂ５、及びフロート式採水口５３を設けた送水管ＷＰ４の温水タンク３１の上部位置に存在する取り付け位置Ａ５には、温水生成部３０Ｆ’に比べて変化がない。しかし、送水管ＷＰ２の温水タンク３１への取り付け位置Ｃ５は、温水生成部３０Ｄと比べて、温水タンク３１の上側において壁３１ａの近傍に存在すると共に、その取り付け位置Ｃ５の横には、温水タンク３１を横方向に仕切る仕切板５４が設けられている点が異なっている。
【０１０４】
さらに、例えば、温水生成部３０Ｆ’”では、図１２に示すように、送水管ＷＰ５の温水タンク３１の底部への取り付け位置Ｂ５、及びフロート式採水口５３を設けた送水管ＷＰ４の温水タンク３１の上部位置に存在する取り付け位置Ａ５は、温水生成部３０Ｆ’に比べて変化がない。しかし、送水管ＷＰ２の温水タンク３１への取り付け位置Ｃ５は、温水タンク３１の底面となっている点が異なっている。
【０１０５】
このように、本実施の形態の飲料水供給装置４の温水生成部３０Ｆ・３０Ｆ’・３０Ｆ” ・３０Ｆ’”では、第１流路としての送水管ＷＰ４には、温水容器としての温水タンク３１から加熱室３５に飲料水を送る送水ポンプ３４が設けられていると共に、温水タンク３１に加熱前の飲料水を供給する水供給路としての送水管ＷＰ２が備えられており、送水管ＷＰ２の温水タンク３１への取り付け位置Ｃ５及び送水管ＷＰ４の温水タンク３１への取り付け位置Ａ５は温水タンク３１の上部に設けられ、送水管ＷＰ５の温水タンク３１への取り付け位置Ｂ５は温水タンク３１の下部に設けられている。
【０１０６】
このような構成においては、送水管ＷＰ５の温水タンク３１への取り付け位置Ｂ５は温水タンク３１の下部に設けられているので、加熱された飲料水は、温水タンク３１において対流により直ちに上昇し、その飲料水が直ちに送水管ＷＰ４にて採水される。
【０１０７】
その結果、待機温度Ｔ１で循環される飲料水の温度が低下するのを防止することができる。
【０１０８】
尚、図１２に示すように、例えば、送水管ＷＰ２の温水タンク３１への取り付け位置Ｃ５を、温水タンク３１の底面とした温水生成部３０Ｆ’”とすることも可能である。この場合、取り付け位置Ｃ５と送水管ＷＰ４の取り付け位置Ｂ５とが離れていれば、送水管ＷＰ２からの加熱前の飲料水が、循環する飲料水と混ざり合うことは少ない。
【０１０９】
〔まとめ〕
本発明の態様１における飲料水供給装置１〜５は、飲料水を貯留する温水容器（温水タンク３１）と、上記温水容器（温水タンク３１）から送られた飲料水を加熱する加熱部（ヒーター３５ａ）を備えた加熱室３５と、上記飲料水を外部に注出する注出口３７と、上記温水容器（温水タンク３１）から上記加熱室３５に飲料水を送る第１流路（送水管ＷＰ４）と、上記加熱室３５にて加熱された飲料水を上記温水容器（温水タンク３１）に送る第２流路（送水管ＷＰ５）と、上記加熱室３５にて加熱された飲料水を上記注出口３７に送る第３流路（送水管ＷＰ６）と、上記加熱室３５にて加熱された飲料水を送る流路として、上記第２流路（送水管ＷＰ５）と上記第３流路（送水管ＷＰ６）のうちいずれか一方を選択する流路選択部（三方弁３６）と、上記加熱部（ヒーター３５ａ）と流路選択部（三方弁３６）とを制御する制御部４１とを備えた飲料水供給装置であって、上記制御部４１は、上記流路選択部（三方弁３６）が上記第２流路（送水管ＷＰ５）を選択するように制御すると共に、上記加熱部（ヒーター３５ａ）を制御することにより上記温水容器（温水タンク３１）と加熱室３５との間で飲料水を循環させて上記温水容器（温水タンク３１）内の飲料水の温度が待機温度Ｔ１を維持するように制御する待機モードと、上記流路選択部（三方弁３６）が上記第３流路（送水管ＷＰ６）を選択するように制御すると共に、上記加熱部（ヒーター３５ａ）を制御することにより上記温水容器（温水タンク３１）から送られた上記待機温度Ｔ１の飲料水を上記加熱室３５にて注出温度Ｔ２に加熱した後、上記注出口３７から外部に注出する注出モードとを、それぞれ実行可能であることを特徴としている。
【０１１０】
上記の発明によれば、注出モードでは、温水容器から送られた待機温度の飲料水を加熱室にて注出温度に加熱した後、流路選択部にて第３流路を選択して、注出口から外部に注出する。このため、必要なときに、所望温度の飲料水を注出口から外部に注出することができる。
【０１１１】
一方、流路選択部にて第２流路を選択して、加熱室にて加熱された飲料水を温水容器に戻して、温水容器と加熱室との間で飲料水を循環させる。
【０１１２】
そして、飲料水を循環させる場合には、飲料水の温度が待機温度を維持するように加熱部を制御部が制御する。
【０１１３】
また、待機モードでは低い温度で飲料水を循環し、飲料水を注出する注出モードでは待機温度よりも高温の所望温度の飲料水を得ることができる。
【０１１４】
したがって、簡単な構造により、消費電力の節減と温水注出の即応性とを適度なバランスを保って両立することが可能な飲料水供給装置を提供することができる。
【０１１５】
本発明の態様２における飲料水供給装置２は、態様１における飲料水供給装置において、前記温水容器（温水タンク３１）に加熱前の飲料水を供給する水供給路（送水管ＷＰ２）が備えられていると共に、前記第１流路（送水管ＷＰ４）の温水容器（温水タンク３１）への取り付け位置Ａ２と前記第２流路（送水管ＷＰ５）の温水容器（温水タンク３１）への取り付け位置Ｂ２との間の距離は、上記第１流路（送水管ＷＰ４）の温水容器（温水タンク３１）への取り付け位置Ａ２と上記水供給路（送水管ＷＰ２）の温水容器（温水タンク３１）への取り付け位置Ｃ２との間の距離よりも短いことが好ましい。
【０１１６】
本発明では、待機モードにおいては、温水容器、第１流路の温水容器への取り付け位置、第１流路、加熱室、流路選択部、第２流路、及び第２流路の温水容器への取り付け位置とによって、温水容器と加熱室との間に循環経路が形成されている。そして、循環経路には、注出温度よりも少し低い温度の待機温度の飲料水が循環されている。この場合、水供給路から待機温度よりもより低い加熱前の例えば常温等の新たな飲料水が温水容器に流入されて、この循環している飲料水に混入されると、循環している飲料水の温度が低下する。この結果、飲料水を待機温度に保持するためには、加熱部を稼働しなければならないので、電力が消費される。
【０１１７】
したがって、循環している飲料水の温度を低下させないためには、温水容器において循環している飲料水からできるだけ離れた位置に加熱前の飲料水を流入させることが好ましい。
【０１１８】
この点、本発明では、第１流路の温水容器への取り付け位置と第２流路の温水容器への取り付け位置との間の距離は、第１流路の温水容器への取り付け位置と水供給路の温水容器への取り付け位置との間の距離よりも短くなっている。
【０１１９】
この結果、本発明により、待機モードのおける注出前の加熱動作時において、温水容器内に流れが形成され、水供給路から供給される飲料水によって温度低下した水が循環する飲料水側に供給され難くなるため、循環飲料水の急激な温度低下を抑制することができる。
【０１２０】
本発明の態様３における飲料水供給装置３は、態様２における飲料水供給装置において、前記水供給路（送水管ＷＰ２）の温水容器（温水タンク３１）への取り付け位置Ｃ３は、前記第１流路（送水管ＷＰ４）の温水容器（温水タンク３１）への取り付け位置Ａ１よりも上側に位置しており、前記水供給路（送水管ＷＰ２）を通して前記温水容器（温水タンク３１）へ供給される飲料水が上記温水容器（温水タンク３１）内で水平方向に広がるように供給されることが好ましい。
【０１２１】
すなわち、水供給路の温水容器への取り付け位置が、第１流路の温水容器への取り付け位置よりも上側に位置している場合に、水供給路から供給される飲料水が温水容器の深さ方向に供給されると、加熱していない飲料水が、第１流路の温水容器への取り付け位置の近傍に流れ込むことになるので、循環している飲料水の温度が急激に低下する。
【０１２２】
この点、本発明では、水供給路を通して温水容器へ供給される飲料水が温水容器内で水平方向に広がるように供給される。
【０１２３】
この結果、供給路から供給される飲料水が温水容器の深さ方向に供給されることがないので、循環している飲料水の温度が急激に低下するのを防止することができる。
【０１２４】
本発明の態様４における飲料水供給装置は、態様３における飲料水供給装置において、前記水供給路（送水管ＷＰ２）の温水容器（温水タンク３１）への取り付け位置Ｃ３の下方の位置に、前記水供給路（送水管ＷＰ２）を通して上記温水容器（温水タンク３１）へ供給される飲料水を上記温水容器（温水タンク３１）に対して水平方向に拡散させる拡散板５１が備えられていることが好ましい。
【０１２５】
これにより、水供給路を通して温水容器へ供給される飲料水は、拡散板に当たって水平方向に拡散する。
【０１２６】
この結果、水供給路を通して温水容器へ供給される飲料水が、温水容器の底部に流れ込み難くなるので、循環している飲料水の温度が急激に低下するのを確実に防止することができる。
【０１２７】
本発明の態様５における飲料水供給装置３・４は、態様４における飲料水供給装置において、前記拡散板（拡散板５１・採水カバー５２）は、前記水供給路（送水管ＷＰ２）の温水容器（温水タンク３１）への取り付け位置Ｃ３と前記第１流路（送水管ＷＰ４）の温水容器（温水タンク３１）への取り付け位置Ａ３・Ａ４との間に位置するとすることが可能である。
【０１２８】
すなわち、循環している飲料水の温度が急激に低下するのを防止する効果の観点からすると、拡散板が温水容器の上側に存在することが好ましい。しかし、必ずしもこれに限らず、拡散板が、水供給路の温水容器への取り付け位置と第１流路の温水容器への取り付け位置との間に位置していれば、水供給路を通して温水容器へ供給される飲料水が、温水容器の底部に流れ込み難くなる。
【０１２９】
したがって、この場合においても、循環している飲料水の温度が急激に低下するのを防止することができる。
【０１３０】
本発明の態様６における飲料水供給装置４は、態様１における飲料水供給装置において、前記第１流路（送水管ＷＰ４）には、前記温水容器（温水タンク３１）から前記加熱室３５に飲料水を送る送水ポンプ３４が設けられていると共に、上記第１流路（送水管ＷＰ４）の温水容器（温水タンク３１）への取り付け位置Ａ４は、上記温水容器（温水タンク３１）の下部側面又は底面に設けられていることが好ましい。
【０１３１】
これにより、温水容器から加熱室に飲料水を送る第１流路には、送水ポンプが設けられている。このため、送水ポンプにて温水容器の飲料水を多量に送水したときに、第１流路の温水容器への取り付け位置が温水容器の下部側面又は底面に設けられていない場合には、温水容器の飲料水の水位が下がったときに、送水ポンプが空送りになる虞がある。
【０１３２】
この点、本発明では、第１流路の温水容器への取り付け位置が、温水容器の下部側面又は底面に設けられているので、送水ポンプの空送りを防止することができる。
【０１３３】
また、これにより、温水容器の内部に渦流が発生して、水供給路の飲料水を巻き込み、その結果、送水ポンプの駆動時に飲料水の温度が低下することを防止することができる。
【０１３４】
本発明の態様７における飲料水供給装置５は、態様１における飲料水供給装置において、前記第１流路（送水管ＷＰ４）には、前記温水容器（温水タンク３１）から前記加熱室３５に飲料水を送る送水ポンプ３４が設けられていると共に、前記温水容器（温水タンク３１）に加熱前の飲料水を供給する水供給路（送水管ＷＰ２）が備えられており、上記水供給路（送水管ＷＰ２）の温水容器（温水タンク３１）への取り付け位置Ｃ５及び前記第１流路（送水管ＷＰ４）の温水容器（温水タンク３１）への取り付け位置Ａ５は温水容器（温水タンク３１）の上部に設けられ、前記第２流路（送水管ＷＰ５）の温水容器（温水タンク３１）への取り付け位置Ｂ５は温水容器（温水タンク３１）の下部に設けられていることが好ましい。
【０１３５】
本発明では、加熱室に飲料水を送水ポンプにて供給する第１流路の温水容器への取り付け位置は温水容器の上部に設けられ、循環する飲料水が戻る第２流路の温水容器への取り付け位置は温水容器の下部に設けられている。
【０１３６】
このような構成においては、第２流路の温水容器への取り付け位置は温水容器の下部に設けられているので、加熱された飲料水は、温水容器において対流により直ちに上昇し、その飲料水が直ちに第１流路にて採水される。
【０１３７】
その結果、待機温度で循環される飲料水の温度が低下するのを防止することができる。
【０１３８】
本発明の態様８における飲料水供給装置は、態様１における飲料水供給装置において、前記第１流路（送水管ＷＰ４）には、前記温水容器（温水タンク３１）から前記加熱室３５に飲料水を送る送水ポンプが設けられていると共に、前記制御部４１は、前記注出モードから待機モードに切り替えたときには、一定時間上記送水ポンプを駆動させた後、上記送水ポンプの駆動を停止させることが好ましい。
【０１３９】
すなわち、注出温度の飲料水を注出口から外部に注出した場合には、温水容器の水位が下がるので、温水容器には加熱前の飲料水が新たに供給される。このため、注出モードから待機モードに切り替えたときには、循環される飲料水の温度は待機温度よりも低くなるので、送水ポンプを駆動させて第１流路を通して飲料水を加熱室に送ることにより、加熱部にて飲料水を加熱しながら、流路選択部、第２流路を介して飲料水が循環される。
【０１４０】
ここで、やがて、循環される飲料水の温度が待機温度になった場合には、それ以上に飲料水を循環する必要はない。
【０１４１】
そこで、本発明では、制御部は、注出モードから待機モードに切り替えたときには、一定時間送水ポンプを駆動させた後、送水ポンプの駆動を停止させる。
【０１４２】
この結果、加熱室の中で飲料水が過熱状態となることを防止することができる。
【符号の説明】
【０１４３】
１〜５        飲料水供給装置
１０            飲料原水タンク部
１１            ウォーターバック
１２            アタッチメント
２０            冷水生成部
２１            拡散部材
２１            冷水タンク
２２            採水カバー
２３            セパレータ
２３            フロート式採水口
２４            フロート式弁
２４            隔壁
２５            蒸発器
２６            冷却器
２７            冷水温度計
２８            冷水注出口
３０Ａ〜３０Ｆ  温水生成部
３１            温水タンク（温水容器）
３２            温水温度計
３３            流量計
３４            送水ポンプ
３５            加熱室
３５ａ          ヒーター（加熱部）
３６            三方弁（流路選択部）
３７            注出口
３８            ドレイン弁
３９            循環用ポンプ
Ａ１〜Ａ５      取り付け位置（第１流路の温水容器への取り付け位置）
Ｂ１〜Ｂ５      取り付け位置（第２流路の温水容器への取り付け位置）
Ｃ１〜Ｃ５      取り付け位置（水供給路の温水容器への取り付け位置）
Ｔ１            待機温度
Ｔ２            注出温度
ＷＰ２          送水管（水供給路）
ＷＰ４          送水管（第１流路）
ＷＰ５          送水管（第２流路）
ＷＰ６          送水管（第３流路）
【図１】
2017154813.tif 000003
【図２】
2017154813.tif 000004
【図３】
2017154813.tif 000005
【図４】
2017154813.tif 000006
【図５】
2017154813.tif 000007
【図６】
2017154813.tif 000008
【図７】
2017154813.tif 000009
【図８】
2017154813.tif 000010
【図９】
2017154813.tif 000011
【図１０】
2017154813.tif 000012
【図１１】
2017154813.tif 000013
【図１２】
2017154813.tif 000014